(57)【要約】【課題】  小さな力で汚れを除去することが出来る掃除具を提供する。【解決手段】  掃除具１は、図示しない駆動機構が収納された把持体１０と、駆動機構の駆動軸に取り付けられると共に、把持体１０の前面側（図の左側）に配置された球冠形状の研磨体２０とから主に構成されている。研磨体２０は、駆動機構の駆動軸に取り付けられた球冠形状のベース２１と、ベース２１に脱着自在に取り付けられた研磨布４０とを備えている。尚、研磨体２０のベース２１は、その中心軸の周りに回転させるように駆動機構の駆動軸に取り付けられている。このように、汚れに接する面（研磨布４０の外面）が球冠形状に形成されているため、研磨体２０を電磁調理器の天板の汚れに押し付けると、研磨布４０の外面の一部のみが汚れに接触することになる。即ち、接触面積が小さくなることで研磨体２０を押し付ける力が集中するため、小さな力で汚れを除去することが可能となる。【選択図】  図２
2011245421.tif 000002
【特許請求の範囲】
【請求項１】
電磁調理器の天板の汚れを除去するための掃除具であって、
前記汚れに接する面が、外方に向かって凸状面の形状に形成されている研磨体を備えた、掃除具。
【請求項２】
前記研磨体は中心軸を有する回転対称形状を有し、
更に、前記研磨体をその中心軸の周りに回転させる駆動機構を備えた、請求項１記載の掃除具。
【請求項３】
前記研磨体は球冠形状を有する、請求項２記載の掃除具。
【請求項４】
前記研磨体は、
球冠形状を有するベースと、
前記ベースに脱着自在に取付けられる研磨布とを含む、請求項３記載の掃除具。
【請求項５】
前記ベースは、基材と前記基材の外表面に布設された面ファスナーとを含み、
前記研磨布は、不織布と前記不織布の一方面に形成された研磨層とからなる、請求項４記載の掃除具。
【請求項６】
更に、前記駆動機構を収容すると共に、外方に突出した駆動軸を介して前記研磨体を接続する把持体を備え、
前記把持体には、更に、前記駆動機構に電力を供給する電池が取り出し自在に格納されると共に、前記駆動機構の作動を制御するスイッチが設置される、請求項２から請求項５のいずれかに記載の掃除具。
【発明の詳細な説明】
【技術分野】
【０００１】
この発明は掃除具に関し、特に、電磁調理器の天板の汚れを除去するための掃除具に関するものである。
【背景技術】
【０００２】
電磁調理器の天板には、調理時における油はね等の汚れが付着する。このような汚れを除去するために、種々の掃除具が提案されている（例えば、特許文献１）。
【０００３】
図１０は特許文献１で開示された掃除具を示す斜視図である。
【０００４】
図を参照して、掃除具である洗浄ブラシ７０は、洗浄剤が充填されたエアゾール缶７５と、エアゾール缶７５を支持するための支持部７１と、支持部７１に取り付けられたハンドル部７２と、支持部の先端に接続されたヘッダー部７３と、ヘッダー部７３に取り付けられたブラシ７４とから主に構成されている。ヘッダー部７３は支持部７１に収納されたモーター７７に接続されているため、ヘッダー部７３及びブラシ７４は図の矢印で示すように回転することが出来る。
【０００５】
このように構成された洗浄ブラシ７０においては、エアゾール缶７５から洗浄剤を噴射すると共に、回転するブラシ７４を汚れに押し当てることで汚れを除去する。
又、汚れに接する部分を回転させて汚れを除去する掃除具としては、該部分がスポンジで構成されたもの（特許文献２）、又は該部分の取替えが可能な構成にすることで用途に応じて使い分けが出来ると共に、ブラシ等の角度が変更出来るために汚れの除去が迅速となるもの（特許文献３）等がある。
【先行技術文献】
【特許文献】
【０００６】
【特許文献１】特開２００６−４３２３４号公報
【特許文献２】特開平８−２５６９６７号公報
【特許文献３】特開平１０−２１６６５２号公報
【発明の概要】
【発明が解決しようとする課題】
【０００７】
上記のような従来の掃除具では、電磁調理器の天板の油はね等の汚れは除去することが出来るが、電磁調理器の加熱部に付着して焼き付けを起こした煮こぼれ等の汚れ、或いは鍋に付着した汚れが天板に転写された汚れ等の、固着した汚れの除去が困難であった。
【０００８】
即ち、従来の掃除具においては、汚れに接する面を汚れに押し付けた際の接触面積が大きく、広範囲を掃除する場合には有効であるが、汚れに対して押し付ける力が分散されてしまっていた。そのため、上述した固着した汚れを除去する際には、汚れに接する面を押し付ける力を大きくする必要があった。又、ブラシやスポンジ等では固着した汚れをかき取るような効果が期待出来ず、汚れの除去が更に困難となっていた。
【０００９】
この発明は、上記のような課題を解決するためになされたもので、小さな力で汚れを除去することが出来る掃除具を提供することを目的とする。
【課題を解決するための手段】
【００１０】
上記の目的を達成するために、請求項１記載の発明は、電磁調理器の天板の汚れを除去するための掃除具であって、汚れに接する面が、外方に向かって凸状面の形状に形成されている研磨体を備えたものである。
【００１１】
このように構成すると、研磨体を強く汚れに押し付けることが可能になる。
【００１２】
請求項２記載の発明は、請求項１記載の発明の構成において、研磨体は中心軸を有する回転対称形状を有し、更に、研磨体をその中心軸の周りに回転させる駆動機構を備えたものである。
【００１３】
このように構成すると、研磨体は回転しながら汚れに接する。
【００１４】
請求項３記載の発明は、請求項２記載の発明の構成において、研磨体は球冠形状を有するものである。
【００１５】
このように構成すると、研磨体を傾けても汚れの付着面に対する接触角が常に一定となる。
【００１６】
請求項４記載の発明は、請求項３記載の発明の構成において、研磨体は、球冠形状を有するベースと、ベースに脱着自在に取付けられる研磨布とを含むものである。
【００１７】
このように構成すると、研磨布の取替えが容易になる。
【００１８】
請求項５記載の発明は、請求項４記載の発明の構成において、ベースは、基材と基材の外表面に布設された面ファスナーとを含み、研磨布は、不織布と不織布の一方面に形成された研磨層とからなるものである。
【００１９】
このように構成すると、研磨布の不織布とベースの面ファスナーとが脱着自在に係合する。
【００２０】
請求項６記載の発明は、請求項２から請求項５のいずれかに記載の発明の構成において、更に、駆動機構を収容すると共に、外方に突出した駆動軸を介して研磨体を接続する把持体を備え、把持体には、更に、駆動機構に電力を供給する電池が取り出し自在に格納されると共に、駆動機構の作動を制御するスイッチが設置されるものである。
【００２１】
このように構成すると、把持体を手にした状態で研磨体を操作出来る。
【発明の効果】
【００２２】
以上説明したように、請求項１記載の発明は、研磨体を強く汚れに押し付けることが可能になるため、小さな力で汚れを除去出来る。
【００２３】
請求項２記載の発明は、請求項１記載の発明の効果に加えて、研磨体は回転しながら汚れに接するため、押し付けるだけで汚れが除去されるので、使い勝手が良い。
【００２４】
請求項３記載の発明は、請求項２記載の発明の効果に加えて、研磨体を傾けても汚れの付着面に対する接触角が常に一定となるため、安定した汚れの除去が可能となる。
【００２５】
請求項４記載の発明は、請求項３記載の発明の効果に加えて、研磨布の取替えが容易になるため、効率的な使用が可能となる。
【００２６】
請求項５記載の発明は、請求項４記載の発明の効果に加えて、研磨布の不織布とベースの面ファスナーとが脱着自在に係合するため、研磨層のベースへの脱着が容易となる。
【００２７】
請求項６記載の発明は、請求項２から請求項５のいずれかに記載の発明の効果に加えて、把持体を手にした状態で研磨体を操作出来るため、電源コード等が不要になるので、より使用勝手が向上する。
【図面の簡単な説明】
【００２８】
【図１】この発明の第１の実施の形態による掃除具の正面図である。
【図２】図１で示したＩＩ−ＩＩラインから見た図である。
【図３】図１で示したＩＩＩ−ＩＩＩラインから見た図である。
【図４】図１で示した掃除具の内部構造を示す図であって、図２に対応するものである。
【図５】図４で示したＶ−Ｖラインの拡大断面図である。
【図６】図１で示した掃除具における駆動軸に研磨体を取り付ける第１工程を示す概略断面図である。
【図７】図１で示した掃除具における駆動軸に研磨体を取り付ける第２工程を示す概略断面図である。
【図８】図１で示した掃除具における駆動軸に研磨体を取り付ける第３工程を示す概略断面図である。
【図９】電磁調理器の天板に押し付けた状態の掃除具の概略断面図であって、本願の実施の形態と従来例とを比較した図である。
【図１０】従来の掃除具を示す斜視図である。
【発明を実施するための形態】
【００２９】
図１はこの発明の第１の実施の形態による掃除具の正面図であり、図２は図１で示したＩＩ−ＩＩラインから見た図であり、図３は図１で示したＩＩＩ−ＩＩＩラインから見た図であり、図４は図１で示した掃除具の内部構造を示す図であって、図２に対応するものである。
【００３０】
これらの図を参照して、掃除具１は、側面視逆Ｌ字状の円筒形状に形成された、主にアクリロニトリル、ブタジエン及びスチレンを含むＡＢＳ樹脂よりなる把持体１０と、把持体１０の前面側（図２の左側）に脱着自在に取り付けられた球冠形状の研磨体２０とから主に構成されている。研磨体２０の形状による効果については後述する。
【００３１】
把持体１０は、胴部１１と、胴部１１の前面側端部に脱着自在に取り付けられた前面部１２と、胴部１１の下方端に脱着自在に取り付けられた底部１３とを備えている。又、胴部１１の前面側の一部と背面側（図２の右側）の一部とには、エラストマー等よりなる弾性体１４ａ、１４ｂが被覆されていると共に、背面側の弾性体１４ｂには突起部１５が形成されている。このように、把持体１０の一部が弾性体１４ａ、１４ｂで被覆されているため、把持体１０を手にした際の使用感が向上する。
【００３２】
又、図４で示すように、把持体１０には、駆動機構である、モーター３１と、モーター３１に接続された減速機３２とが格納されている。そして、減速機３２の駆動軸３６は、把持体１０の前面部１２を介して外方に突出するように形成されている。
【００３３】
尚、モーター３１から減速機３２を介して出力される駆動軸３６の回転数は、無負荷時において１００〜３００ｒｐｍに設定することが好ましい。駆動軸３６の回転数を１００ｒｐｍ未満にすると、汚れの除去効果が低下する。又、駆動軸の回転数を３００ｒｐｍより大きくすると、例えば使用者の髪の毛が絡まった場合に髪の毛が巻き取られ続けてしまう可能性があり、安全上の観点から問題がある。更に、無負荷時において１５０〜２５０ｒｐｍに設定すると、汚れの除去効果が大きくなるため更に好ましい。
【００３４】
又、モーター３１から減速機３２を介して出力される駆動軸３６のトルクは、２．０〜５．０ｋｇ・ｃｍに設定することが好ましい。駆動軸３６のトルクを２．０ｋｇ・ｃｍ未満に設定すると、汚れの除去効果が低下する。又、駆動軸３６のトルクを５．０ｋｇ・ｃｍより大きく設定すると、不測の事態に駆動軸３６の回転を止めることが出来なくなるため、危険である。
【００３５】
更に、把持体１０の下方側には、電池３３が複数格納されている。電池３３はモーター３１に電力を供給することが出来るように、図示しない配線等によってモーター３１に接続されている。そして、把持体１０の底部１３は胴部１１に脱着自在に取り付けられているため、図の二点鎖線で示すように、底部１３を胴部１１から取り外すことによって電池３３の各々を容易に取り出すことが出来る。
【００３６】
更に、把持体１０の弾性体１４ｂの突起部１５の内方側には、スイッチ３４が格納されている。そして、突起部１５の外方からスイッチ３４を押圧することで、モーター３１の回転及び停止の作動を制御することが出来るように構成されている。
【００３７】
研磨体２０は、減速機３２の駆動軸３６に取り付けられた球冠形状のベース２１と、ベース２１に脱着自在に取り付けられた、その外縁側に放射状の複数の切り欠き４４が形成された円盤形状の研磨布４０とを備えている。尚、研磨体２０のベース２１は、その中心軸の周りに回転させるように駆動軸３６に取り付けられている。ベース２１と駆動軸３６との接続部分、ベース２１の詳細な構造及び研磨布４０の詳細な構造については後述する。
【００３８】
このような掃除具１においては、把持体１０を手にした状態でスイッチ３４によってモーター３１を作動させて研磨体２０を操作することが出来ると共に、把持体１０に電池３３が格納されているため、電源コード等が不要となる。従って、掃除具１の使用勝手が向上する。
【００３９】
ここで、研磨体２０のベース２１と駆動軸３６との接続部分、ベース２１の詳細な構造及び研磨布４０の詳細な構造について説明する。
【００４０】
図５は図４で示したＶ−Ｖラインの拡大断面図である。
【００４１】
図を参照して、ベース２１は、その中央部に開口２８が形成された円盤形状の底板２２と、底板２２に取り付けられた球冠形状の基材２３と、基材２３の外表面に布設された面ファスナー２４と、その内面が基材２３の端部の外面より若干大きくなるように形成された、面ファスナー２４の外面側に配置されたリング体２５とから構成されている。
【００４２】
又、基材２３の頂点部分には突起体２９が形成されている。更に、取付状態において突起体２９上に位置する面ファスナー２４及び研磨布４０の部分には、開口４６、４７が形成されている。従って、基材２３の突起体２９上に面ファスナー２４及び研磨布４０の開口４６、４７を配置することによって、これらが位置決め状態となるため、取付が容易となる。
【００４３】
そして、面ファスナー２４は伸縮性を有するように構成され、基材２３の外表面に沿ってリング体２５によって取り付けられているため、面ファスナー２４も球冠形状を有することになる。リング体２５による面ファスナー２４の基材２３への取付方法については後述する。
【００４４】
研磨布４０は、ベース２１側に配置された不織布４２と、不織布４２の一方面に形成された研磨層４１とから構成されている。尚、研磨布４０は特開２００５−６６３２４号公報において開示されているものと同一構造であり、研磨層４１におけるモース硬度は１以上４以下が好ましい。このような研磨布４０においては、ブラシやスポンジ等に比べて電磁調理器の天板の固着した汚れに対して高い除去効果を発揮する。そして、ベース２１に研磨布４０の不織布４２が取り付けられた状態においては、研磨布４０の研磨層４１も球冠形状を有することになる。即ち、研磨体２０における汚れに接する面が球冠形状を有することになる。
【００４５】
このように、研磨布４０の不織布４２とベース２１の面ファスナー２４とは脱着自在に係合出来るため、研磨布４０の研磨層４１のベース２１への脱着が容易となる。更に、連続使用時における研磨層４１の減少に伴う研磨布４０の取替えが容易になるため、掃除具１の効率的な使用が可能となる。
【００４６】
減速機３２の駆動軸３６の先端には、ベース２１の底板２２の開口２８に対応する円柱形状の係合体３７が接続されている。そして、ベース２１の底板２２が、開口２８を介して係合体３７に脱着自在に接続されている。この時、ベース２１の基材２３の中心軸と駆動軸３６とが一直線上となるように各部材が形成されている。
【００４７】
次に、駆動軸３６への研磨体２０の取付方法について説明する。
【００４８】
図６は図１で示した掃除具における駆動軸に研磨体を取り付ける第１工程を示す概略断面図であり、図７は図１で示した掃除具における駆動軸に研磨体を取り付ける第２工程を示す概略断面図であり、図８は図１で示した掃除具における駆動軸に研磨体を取り付ける第３工程を示す概略断面図である。
【００４９】
まず、図６の（１）を参照して、球冠形状の基材２３が取り付けられた底板２２の開口２８に駆動軸３６の先端に取り付けられた係合体３７を挿入し、これらを係合させて底板２２を駆動軸３６の係合体３７に取り付ける。上述した通り、基材２３の中心軸と駆動軸３６の中心軸とが一直線上となるように各部材が構成されているため、基材２３は駆動軸３６によってその中心軸を中心として回転することが出来る。
【００５０】
次に、図６の（２）を参照して、駆動軸３６に底板２２を介して取り付けられた基材２３の外表面に、この外表面に沿うように平板状の面ファスナー２４を伸ばしながら布設する。この時、面ファスナー２４の開口４６を基材２３の突起体２９上に位置させることによって、面ファスナー２４を基材２３に対して容易に位置決めすることが出来る。
【００５１】
次に、図７の（１）を参照して、基材２３の外表面に布設された面ファスナー２４の端部を覆うように、リング体２５を面ファスナー２４の外方側（図７の左側）から基材２３に装着する。上述した通り、リング体２５の内面は基材２３の端部の外面より若干大きくなるように形成されているため、リング体２５は面ファスナー２４を介してスムーズに基材２３の周りを囲むように装着される。
【００５２】
次に、図７の（２）を参照して、リング体２５が基材２３の周りを囲むように装着されると、リング体２５の内面と基材２３の端部の外面とによって面ファスナー２４の端部が挟まれた状態となる。即ち、これらによって面ファスナー２４の布設状態が保持され、基材２３に一体化される。
【００５３】
その後、面ファスナー２４の外表面上に、円盤状の研磨布４０を不織布４２が面ファスナー２４に接するように、研磨布４０の開口４７と面ファスナー２４の開口４６との位置を合わせた状態で配置する。
【００５４】
次に、図８の（１）を参照して、面ファスナー２４と研磨布４０の不織布４２の中心部分とが係合した状態から、面ファスナー２４の外表面に沿って図の矢印で示すように研磨布４０の不織布４２の外縁部分を面ファスナー２４に係合させる。この時、上述した通り研磨布４０の外縁部分には図１で示したような切り欠き４４が形成されているため、研磨布４０をスムーズに球冠形状の基材２３に取り付けることが出来る。
【００５５】
次に、図８の（２）を参照して、汚れに接する面である研磨布４０の研磨層４１が基材２３の外表面に沿って取り付けられる、即ち、研磨層４１の少なくとも先の部分が球冠形状となるように研磨布４０が面ファスナー２４に取り付けられると、研磨体２０の駆動軸３６への取付が完了する。
【００５６】
次に、研磨体２０の形状による効果について説明する。
【００５７】
図９は電磁調理器の天板に押し付けた状態の掃除具の概略断面図であって、（１）は図１で示した掃除具を示すものであって、（２）は従来の掃除具を示すものである。
【００５８】
まず、（１）を参照して、上述した通り、掃除具１の研磨体２０の外方側に配置された研磨布４０の外面（汚れに接する面）は球冠形状となるように形成されている。そして、研磨布４０を電磁調理器の天板５１に押し付けると、研磨布４０の外面の一部のみが天板５１に接する。即ち、研磨布４０と天板５１との接触面積が小さいので、図の矢印で示すように、研磨体２０を天板５１に押し付ける力Ｆが研磨布４０と天板５１との接触部分に集中する。従って、研磨布４０を集中的に天板５１上の汚れに強く押し付けることが出来るため、天板５１上に固着した汚れを容易に除去することが出来る。
【００５９】
又、掃除具１においては、上述したように駆動機構によって研磨体２０がその中心軸を中心に回転するように構成されている。そのため、研磨体２０は汚れに接する面が常に一定の状態で回転しながら天板５１上の汚れに接することになる。従って、使用者が研磨体２０を前後左右に移動させる必要が無く、押し付けるだけで天板５１上の汚れが除去されるので、使い勝手の良い掃除具１となる。
【００６０】
又、研磨体２０は球冠形状に形成されているため、例えば掃除具１を若干傾けた状態で研磨布４０を平板５１に押し付けても、汚れが付着した面の平板５１に対する研磨布４０の接触角が常に一定となる。従って、研磨布４０と天板５１との接触面積が常に小さくなるため、安定して平板５１上の汚れを除去することが出来る。
【００６１】
次に、（２）を参照して、従来の掃除具６０にあっては、例えば研磨体６１は端部が平坦な円柱形状に形成されている。そして、このような研磨体６１を電磁調理器の天板５１に押し付けると、研磨布６２が天板５１に広範囲に亘って接触する。従って、図の矢印で示すように、研磨体６１を天板５１に押し付ける力Ｆが研磨布６２と天板５１との接触部分で分散されてしまう。そのため、天板５１上の汚れを除去するためには、（１）で示した掃除具１に比べて大きな力で研磨体６１を押し付ける必要があり、天板５１上に固着した汚れの除去が困難となる。
【００６２】
尚、上記の実施の形態では、研磨体は球冠形状に形成されているが、例えば断面放射線形状、楕円球面形状又は多面体状等、汚れに接する面が外方に向かって凸状面の形状に形成されていれば、他の形状に形成されていても良い。その場合、回転する研磨体が汚れに対して安定して接触するために、研磨体を回転対称形状に形成することが好ましい。
【００６３】
又、上記の実施の形態では、研磨体は駆動機構及び電池によって回転するように構成されているが、駆動機構等は無くても良く、使用者が研磨体を前後左右に動かすことで固着した汚れを除去するように構成されていても良い。
【００６４】
更に、上記の実施の形態では、研磨体はベースとベースの面ファスナーに脱着自在に取り付けられる研磨布とを含むものであるが、研磨体は球冠形状を有するものであれば、他の部材で構成されていても良い。又、研磨布は、例えば粘着剤によってベースに取り付ける等、他の脱着方法によってベースに取り付けられていても良い。
【００６５】
更に、上記の実施の形態では、研磨体は減速機を介してモーターに接続されているが、研磨体をその中心軸の周りに回転させることが出来れば、例えば研磨体がモーターに直接接続するように構成されていても良い。その場合、規定のトルク等を発生させるためにモーターを大きくする必要があり、使い勝手が悪くなる可能性がある点に留意する必要がある。
【００６６】
更に、上記の実施の形態では、特定構造のベースを備えているが、球冠形状を有するものであれば、他の構造のものであっても良い。
【００６７】
更に、上記の実施の形態では、特定構造の研磨布を備えているが、それによって汚れを除去することが出来ると共に、ベースに対して脱着自在に取り付けることが出来るものであれば、他の構造のものであっても良い。
【００６８】
更に、上記の実施の形態では、駆動機構を収容した把持体を備えているが、駆動機構は把持体に収容されていなくても良い。又は、把持体は無くても良い。
【００６９】
更に、上記の実施の形態では、把持体内に電池が格納されているが、例えば固定式の充電池や電源コード等を介して駆動機構に電力を供給するように構成されていても良い。
【実施例】
【００７０】
ここで、第１の実施の形態の掃除具における種々の寸法による、電磁調理器のガラス天板上に固着した汚れの除去効果についての実験をおこなった。
【００７１】
まず、実施例１〜４及び比較例１〜３の構成と実験方法とについて説明する。
【００７２】
実施例１においては、基材の形状は球冠形状、図９の（１）で示す基材の球冠形状部分の半径Ａを１０ｍｍとした。
【００７３】
実施例２においては、基材の形状は球冠形状、図９の（１）で示す基材の球冠形状部分の半径Ａを１５ｍｍとした。
【００７４】
実施例３においては、基材の形状は球冠形状、図９の（１）で示す基材の球冠形状部分の半径Ａを２０ｍｍとした。
【００７５】
実施例４においては、基材の形状は球冠形状、図９の（１）で示す基材の球冠形状部分の半径Ａを２５ｍｍとした。
【００７６】
比較例１においては、基材の形状は円柱形状、図９の（２）で示す基材の円柱形状部分の半径Ｂを２０ｍｍとした。
【００７７】
比較例２においては、基材の形状は円柱形状、図９の（２）で示す基材の円柱形状部分の半径Ｂを２５ｍｍとした。
【００７８】
比較例３においては、基材の形状は円柱形状、図９の（２）で示す基材の円柱形状部分の半径Ｂを３０ｍｍとした。
【００７９】
又、上記の実施例１〜４及び比較例１〜３の全てにおいて、研磨布の研磨層には無水石膏（モース硬度３．５）を使用すると共に、研磨体の回転トルクは２．０ｋｇ・ｃｍ、研磨体の無負荷時における回転数は２００ｒｐｍとした。
【００８０】
そして、上記の試料をそれぞれ用いて、電磁調理器のガラス天板上に固着した汚れ（モース硬度１〜２）の除去をおこない、目視によって汚れの取れ具合を確認した。尚、実施例１〜４における研磨布の接触面積については、各試料における研磨布を天板上に広げたアルミ箔に実際に作業する力で押し付け、その際にアルミ箔に残った痕を計測し、面積を算出した。又、比較例１〜３における研磨布の接触面積については、各試料の半径毎の円の面積から算出した。
【００８１】
【表１】
2011245421.tif 000003
上記の表を参照して、実施例１〜３においては汚れの取れ具合が良好であり、汚れを落としやすいことが確認出来た。更に、実施例１〜３においては、研磨布を押し付けてもモーターの回転（研磨布の回転）に変化が無かった。しかしながら、実施例１においては実施例２、３に比べて研磨布の接触面積が極めて小さいため、広範囲の汚れを除去するのに時間がかかってしまう。
【００８２】
実施例４においては、実施例１〜３に比べて汚れの除去効果は少し劣っていたものの、汚れを落とすことが確認出来た。モーターの回転については、研磨布を押し付けることによって回転速度が若干減少した。
【００８３】
比較例１〜３おいては、汚れを落とし難いことが確認出来た。更に、比較例２、３においては、研磨布を押し付けることによってモーターの回転が停止したため、汚れの除去効果が発揮出来ないものであった。
【００８４】
上記の結果から、本発明による実施例１〜４については汚れの除去効果を確認することが出来たが、従来の比較例１〜３については汚れの除去効果を確認することが出来なかった。即ち、本発明による掃除具の効果が検証されたと言える。
【００８５】
更に、実施例１〜４の各々を比較すると、実施例１〜３による掃除具が特に汚れの除去効果の高いものであった。従って、研磨体のトルクが２．０ｋｇ・ｃｍ、回転数が２００ｒｐｍの場合、球冠形状の基材の大きさはＳＲ２０ｍｍ以下（研磨布の接触面積が２．８ｃｍ２以下）が特に有効であることが確認出来た。
【符号の説明】
【００８６】
１…掃除具
１０…把持体
２０…研磨体
２１…ベース
２３…基材
２４…面ファスナー
３１…モーター
３２…減速機
３３…電池
３４…スイッチ
３６…駆動軸
４０…研磨布
４１…研磨層
４２…不織布
５１…天板
尚、各図中同一符号は同一又は相当部分を示す。
【図１】
2011245421.tif 000004
【図２】
2011245421.tif 000005
【図３】
2011245421.tif 000006
【図４】
2011245421.tif 000007
【図５】
2011245421.tif 000008
【図６】
2011245421.tif 000009
【図７】
2011245421.tif 000010
【図８】
2011245421.tif 000011
【図９】
2011245421.tif 000012
【図１０】
2011245421.tif 000013